(57)【要約】【課題】初期の島台を技能を有することなく容易に設置できるとともに、その後の遊技機の台数変更も容易に行うことができる遊技機用島台の基体構造及びその設置方法を提供すること。【解決手段】本発明の遊技機用島台の基体構造は、両側端に配置される端部用支柱１０と、２つの端部用支柱１０の間に配置される中間部用支柱２０とを備え、端部用支柱１０及び中間部用支柱２０を、それぞれ平行に配置された一対の柱１と、一対の柱１を連接する連接板２とから構成し、２つの端部用支柱１０の間を、上部においては一対の梁板４０で、下部においては一対の膳板５０で連接し、梁板４０と膳板５０との間の中段に、パチンコ機やスロット機などの遊技機を複数配置し、膳板５０より下段に、遊技機に用いる玉やメダルなどの遊技物を回収する装置を配置し、梁板４０より上段に、遊技機の玉、メダルの補給装置を配置する。【選択図】        図１
2008113919.tif 000002
【特許請求の範囲】
【請求項１】
両側端に配置される端部用支柱と、２つの前記端部用支柱の間に配置される中間部用支柱とを備え、
前記端部用支柱及び前記中間部用支柱を、それぞれ平行に配置された一対の柱と、一対の前記柱を連接する連接板とから構成し、
２つの前記端部用支柱の間を、上部においては一対の梁板で、下部においては一対の膳板で連接し、
前記梁板と前記膳板との間の中段に、パチンコ機やスロット機などの遊技機を複数配置し、前記膳板より下段に、前記遊技機に用いる玉やメダルなどの遊技物を回収する装置を配置し、前記梁板より上段に、前記遊技機の玉、メダルの補給装置を配置する遊技機用島台の基体構造であって、
前記端部用支柱を、前記梁板を取り付ける支柱上段部と、前記膳板を取り付ける支柱下段部と、前記支柱上段部と前記支柱下段部とを連接する支柱中段部とによって構成し、
前記中間部用支柱を、前記梁板を取り付ける中間部用上部支柱と、前記膳板を取り付ける中間部用下部支柱とによって構成し、
前記中間部用上部支柱の下端に、水平部と垂直部とをそれぞれ有する一対の固定部材を備え、
前記水平部を前記膳板の上面に、前記垂直部を前記膳板の側面に、それぞれ当接させることで、一方の前記固定部材を一方の前記膳板に、他方の前記固定部材を他方の前記膳板に取り付けることを特徴とする遊技機用島台の基体構造。
【請求項２】
請求項１に記載の遊技機用島台の基体構造の設置方法であって、基礎面に一対の土台を固定する第１の工程と、前記土台の上に一対の前記端部用支柱と前記中間部用下部支柱とを配置する第２の工程と、前記膳板を前記端部用支柱と前記中間部用下部支柱とに取り付ける第３の工程と、前記中間部用上部支柱を前記膳板に取り付ける第４の工程と、前記梁板を前記端部用支柱と前記中間部用上部支柱とに取り付ける第５の工程とを有することを特徴とする遊技機用島台の基体構造の設置方法。
【請求項３】
水平部材と前記水平部材の両端に設けられる垂直部材とによって巾規制部材を構成し、前記巾規制部材を、前記支柱下段部を構成する一対の前記柱の間、及び前記中間部用下部支柱を構成する一対の前記柱の間にそれぞれ設け、前記巾規制部材を、前記支柱下段部の下端及び前記中間部用下部支柱の下端よりも更に下方へ移動可能に設けたことを特徴とする請求項１に記載の遊技機用島台の基体構造。
【請求項４】
請求項３に記載の遊技機用島台の基体構造の設置方法であって、基礎面に一対の土台を固定する第１の工程と、前記土台の上に一対の前記端部用支柱と前記中間部用下部支柱とを配置する第２の工程と、前記膳板を前記端部用支柱と前記中間部用下部支柱とに取り付ける第３の工程と、前記中間部用上部支柱を前記膳板に取り付ける第４の工程と、前記梁板を前記端部用支柱と前記中間部用上部支柱とに取り付ける第５の工程とを有し、前記第２の工程において、前記巾規制部材を前記土台の間に移動させることで、前記土台に対して、前記端部用支柱と前記中間部用下部支柱との位置決めを行うことを特徴とする遊技機用島台の基体構造の設置方法。
【請求項５】
前記梁板には、水平面を有する棚板と、前記遊技機の上面を受ける遊技機受け板と、前記棚板と前記遊技機受け板とを連結する連結板とを有し、
前記支柱上段部及び前記中間部用上部支柱にはそれぞれ耳部を有し、前記耳部の上部に前記棚板の下面を配置し、前記耳部の下部に前記遊技機受け板の上面を配置し、前記耳部の上部には、下方向からボルトを挿入可能なナット部を形成し、前記耳部の下部にはボルト穴を形成したことを特徴とする請求項１に記載の遊技機用島台の基体構造。
【請求項６】
請求項５に記載の遊技機用島台の基体構造の設置方法であって、基礎面に一対の土台を固定する第１の工程と、前記土台の上に一対の前記端部用支柱と前記中間部用下部支柱とを配置する第２の工程と、前記膳板を前記端部用支柱と前記中間部用下部支柱とに取り付ける第３の工程と、前記中間部用上部支柱を前記膳板に取り付ける第４の工程と、前記梁板を前記端部用支柱と前記中間部用上部支柱とに取り付ける第５の工程とを有し、前記第５の工程において、前記耳部に前記棚板と前記遊技機受け板とを配置し、前記ナット部を用いて前記棚板下面に前記ボルトを嵌合し、前記ボルト穴を用いて前記耳部と前記遊技機受け板とをボルト締めすることで前記遊技機受け板の位置決めを行うことを特徴とする遊技機用島台の基体構造の設置方法。
【請求項７】
前記膳板の下方には、垂直面を有する腰板を備え、前記腰板を上段腰板と下段腰板とより構成し、
前記支柱下段部を構成する一対の前記柱、及び前記中間部用下部支柱を構成する一対の前記柱を、垂直方向にスライド可能な２部材で構成したことを特徴とする請求項１に記載の遊技機用島台の基体構造。
【請求項８】
請求項７に記載の遊技機用島台の基体構造の設置方法であって、前記支柱下段部を構成する一対の前記柱、及び前記中間部用下部支柱を構成する一対の前記柱を、垂直方向に伸ばした状態で、前記上段腰板と前記下段腰板とを用いて設置する第１の設置態様と、前記支柱下段部を構成する一対の前記柱、及び前記中間部用下部支柱を構成する一対の前記柱を、垂直方向に縮めた状態で、前記腰板として前記下段腰板だけを用いて設置する第２の設置態様とを有することを特徴とする遊技機用島台の基体構造の設置方法。
【請求項９】
前記中間部用上部支柱を構成する一対の前記柱に長溝を設け、前記中間部用上部支柱の上端には天板を配置し、前記中間部用上部支柱と前記天板とを連結するＬ字形ボルトであって、前記Ｌ字形ボルトの一端を前記天板に嵌合させ、前記Ｌ字形ボルトの他端を前記長溝に挿入してナット締めすることを特徴とする請求項１に記載の遊技機用島台の基体構造。
【発明の詳細な説明】
【技術分野】
【０００１】
本発明は、パチンコ遊技場に設置される遊技機用島台の基体構造及びその設置方法に関する。
【背景技術】
【０００２】
従来から、パチンコ遊技場に設置される遊技機用島台の組立作業を簡略化する提案がなされている。
例えば、特許文献１では、島台を上段ユニットと中段ユニットと下段ユニットに３分割してユニット化し、現場にてこれらのユニットを組立てるもので、現場での作業性には特に優れている。
また、特許文献２や特許文献３では、遊技機の横幅寸法に対応して遊技機設置位置の支柱間隔を変更できる島台が提案されている。
【特許文献１】特開２００１−９６０４７号公報
【特許文献２】特開２００３−２９９８６４号公報
【特許文献３】特開平１１−４７４１８号公報
【発明の開示】
【発明が解決しようとする課題】
【０００３】
しかし、特許文献１に示される島台では、初期の設置作業は極めて簡単に行うことができるが、遊技機の変更を行う場合には、遊技機の寸法に合わせた島台の変更が行いにくいという問題を有している。
また、特許文献２や特許文献３に示される島台では、遊技機の変更時には遊技機の寸法に合わせた島台変更が可能なために、変更時に島台を有効に利用することができるが、初期の設置作業は必ずしも容易に行うことができない。
【０００４】
そこで本発明は、初期の島台を技能を有することなく容易に設置できるとともに、その後の遊技機の台数変更も容易に行うことができる遊技機用島台の基体構造及びその設置方法を提供することを目的とする。
【課題を解決するための手段】
【０００５】
請求項１記載の本発明の遊技機用島台の基体構造は、両側端に配置される端部用支柱と、２つの前記端部用支柱の間に配置される中間部用支柱とを備え、前記端部用支柱及び前記中間部用支柱を、それぞれ平行に配置された一対の柱と、一対の前記柱を連接する連接板とから構成し、２つの前記端部用支柱の間を、上部においては一対の梁板で、下部においては一対の膳板で連接し、前記梁板と前記膳板との間の中段に、パチンコ機やスロット機などの遊技機を複数配置し、前記膳板より下段に、前記遊技機に用いる玉やメダルなどの遊技物を回収する装置を配置し、前記梁板より上段に、前記遊技機の玉、メダルの補給装置を配置する遊技機用島台の基体構造であって、前記端部用支柱を、前記梁板を取り付ける支柱上段部と、前記膳板を取り付ける支柱下段部と、前記支柱上段部と前記支柱下段部とを連接する支柱中段部とによって構成し、前記中間部用支柱を、前記梁板を取り付ける中間部用上部支柱と、前記膳板を取り付ける中間部用下部支柱とによって構成し、前記中間部用上部支柱の下端に、水平部と垂直部とをそれぞれ有する一対の固定部材を備え、前記水平部を前記膳板の上面に、前記垂直部を前記膳板の側面に、それぞれ当接させることで、一方の前記固定部材を一方の前記膳板に、他方の前記固定部材を他方の前記膳板に取り付けることを特徴とする。
請求項２記載の本発明の遊技機用島台の基体構造の設置方法は、請求項１に記載の遊技機用島台の基体構造の設置方法であって、基礎面に一対の土台を固定する第１の工程と、前記土台の上に一対の前記端部用支柱と前記中間部用下部支柱とを配置する第２の工程と、前記膳板を前記端部用支柱と前記中間部用下部支柱とに取り付ける第３の工程と、前記中間部用上部支柱を前記膳板に取り付ける第４の工程と、前記梁板を前記端部用支柱と前記中間部用上部支柱とに取り付ける第５の工程とを有することを特徴とする。
請求項３記載の本発明は、請求項１に記載の遊技機用島台の基体構造において、水平部材と前記水平部材の両端に設けられる垂直部材とによって巾規制部材を構成し、前記巾規制部材を、前記支柱下段部を構成する一対の前記柱の間、及び前記中間部用下部支柱を構成する一対の前記柱の間にそれぞれ設け、前記巾規制部材を、前記支柱下段部の下端及び前記中間部用下部支柱の下端よりも更に下方へ移動可能に設けたことを特徴とする。
請求項４記載の本発明の遊技機用島台の基体構造の設置方法は、請求項３に記載の遊技機用島台の基体構造の設置方法であって、基礎面に一対の土台を固定する第１の工程と、前記土台の上に一対の前記端部用支柱と前記中間部用下部支柱とを配置する第２の工程と、前記膳板を前記端部用支柱と前記中間部用下部支柱とに取り付ける第３の工程と、前記中間部用上部支柱を前記膳板に取り付ける第４の工程と、前記梁板を前記端部用支柱と前記中間部用上部支柱とに取り付ける第５の工程とを有し、前記第２の工程において、前記巾規制部材を前記土台の間に移動させることで、前記土台に対して、前記端部用支柱と前記中間部用下部支柱との位置決めを行うことを特徴とする。
請求項５記載の本発明は、請求項１に記載の遊技機用島台の基体構造において、前記梁板には、水平面を有する棚板と、前記遊技機の上面を受ける遊技機受け板と、前記棚板と前記遊技機受け板とを連結する連結板とを有し、前記支柱上段部及び前記中間部用上部支柱にはそれぞれ耳部を有し、前記耳部の上部に前記棚板の下面を配置し、前記耳部の下部に前記遊技機受け板の上面を配置し、前記耳部の上部には、下方向からボルトを挿入可能なナット部を形成し、前記耳部の下部にはボルト穴を形成したことを特徴とする。
請求項６記載の本発明の遊技機用島台の基体構造の設置方法は、請求項５に記載の遊技機用島台の基体構造の設置方法であって、基礎面に一対の土台を固定する第１の工程と、前記土台の上に一対の前記端部用支柱と前記中間部用下部支柱とを配置する第２の工程と、前記膳板を前記端部用支柱と前記中間部用下部支柱とに取り付ける第３の工程と、前記中間部用上部支柱を前記膳板に取り付ける第４の工程と、前記梁板を前記端部用支柱と前記中間部用上部支柱とに取り付ける第５の工程とを有し、前記第５の工程において、前記耳部に前記棚板と前記遊技機受け板とを配置し、前記ナット部を用いて前記棚板下面に前記ボルトを嵌合し、前記ボルト穴を用いて前記耳部と前記遊技機受け板とをボルト締めすることで前記遊技機受け板の位置決めを行うことを特徴とする。
請求項７記載の本発明は、請求項１に記載の遊技機用島台の基体構造において、前記膳板の下方には、垂直面を有する腰板を備え、前記腰板を上段腰板と下段腰板とより構成し、前記支柱下段部を構成する一対の前記柱、及び前記中間部用下部支柱を構成する一対の前記柱を、垂直方向にスライド可能な２部材で構成したことを特徴とする。
請求項８記載の本発明の遊技機用島台の基体構造の設置方法は、請求項７に記載の遊技機用島台の基体構造の設置方法であって、前記支柱下段部を構成する一対の前記柱、及び前記中間部用下部支柱を構成する一対の前記柱を、垂直方向に伸ばした状態で、前記上段腰板と前記下段腰板とを用いて設置する第１の設置態様と、前記支柱下段部を構成する一対の前記柱、及び前記中間部用下部支柱を構成する一対の前記柱を、垂直方向に縮めた状態で、前記腰板として前記下段腰板だけを用いて設置する第２の設置態様とを有することを特徴とする。
請求項９記載の本発明は、請求項１に記載の遊技機用島台の基体構造において、前記中間部用上部支柱を構成する一対の前記柱に長溝を設け、前記中間部用上部支柱の上端には天板を配置し、前記中間部用上部支柱と前記天板とを連結するＬ字形ボルトであって、前記Ｌ字形ボルトの一端を前記天板に嵌合させ、前記Ｌ字形ボルトの他端を前記長溝に挿入してナット締めすることを特徴とする。
【発明の効果】
【０００６】
本発明によれば、梁板や膳板を端部用支柱によって基本的な位置決めが可能となり、中間部用上部支柱と中間部用下部支柱とをそれぞれ自由な位置に配置することができる。
また本発明によれば、膳板を取り付けた後に、中間部用上部支柱を膳板に取り付け、その後に梁板を取り付けることができ、下部の部材から順に積み上げて設置できるため、特別な技能を有することなく設置を行うことができる。
また本発明によれば、一対の端部用支柱と中間部用下部支柱の巾寸法を正確に保持することができるとともに、土台に対する端部用支柱と中間部用下部支柱の位置決めも正確に行うことができる。
また本発明によれば、例えばパチンコ機とスロット機のように遊技機の設置高さが異なる場合においても、膳板の高さを容易に変更するで対応することができる。
【発明を実施するための最良の形態】
【０００７】
本発明の第１の実施の形態による遊技機用島台の基体構造は、端部用支柱を、梁板を取り付ける支柱上段部と、膳板を取り付ける支柱下段部と、支柱上段部と支柱下段部とを連接する支柱中段部とによって構成し、中間部用支柱を、梁板を取り付ける中間部用上部支柱と、膳板を取り付ける中間部用下部支柱とによって構成し、中間部用上部支柱の下端に、水平部と垂直部とをそれぞれ有する一対の固定部材を備え、水平部を膳板の上面に、垂直部を膳板の側面に、それぞれ当接させることで、一方の固定部材を一方の膳板に、他方の固定部材を他方の膳板に取り付けるものである。本実施の形態によれば、端部用支柱を、支柱上段部と支柱下段部と支柱中段部とによって一つの支柱として構成するのに対して、中間部用支柱を、中間部用上部支柱と中間部用下部支柱とに分離して構成することで、梁板や膳板を端部用支柱によって基本的な位置決めが可能となり、中間部用上部支柱と中間部用下部支柱とをそれぞれ自由な位置に配置することができる。また、本実施の形態によれば、中間部用上部支柱は膳板を基準に正確な位置に配置することができる。
本発明の第２の実施の形態による遊技機用島台の基体構造の設置方法は、第１の実施の形態による遊技機用島台の基体構造の設置方法において、基礎面に一対の土台を固定する第１の工程と、土台の上に一対の端部用支柱と中間部用下部支柱とを配置する第２の工程と、膳板を端部用支柱と中間部用下部支柱とに取り付ける第３の工程と、中間部用上部支柱を膳板に取り付ける第４の工程と、梁板を端部用支柱と中間部用上部支柱とに取り付ける第５の工程とを有するものである。本実施の形態によれば、膳板を取り付けた後に、中間部用上部支柱を膳板に取り付け、その後に梁板を取り付けることができ、下部の部材から順に積み上げて設置できるとともに、中間部用上部支柱と中間部用下部支柱とをそれぞれ自由な位置に配置することができる。
本発明の第３の実施の形態は、第１の実施の形態による遊技機用島台の基体構造において、水平部材と水平部材の両端に設けられる垂直部材とによって巾規制部材を構成し、巾規制部材を、支柱下段部を構成する一対の柱の間、及び中間部用下部支柱を構成する一対の柱の間にそれぞれ設け、巾規制部材を、支柱下段部の下端及び中間部用下部支柱の下端よりも更に下方へ移動可能に設けたものである。本実施の形態によれば、巾規制部材によって、一対の端部用支柱と中間部用下部支柱の巾寸法を正確に保持することができるとともに、土台に対する端部用支柱と中間部用下部支柱の位置決めも正確に行うことができる。
本発明の第４の実施の形態による遊技機用島台の基体構造の設置方法は、第３の実施の形態による遊技機用島台の基体構造の設置方法において、基礎面に一対の土台を固定する第１の工程と、土台の上に一対の端部用支柱と中間部用下部支柱とを配置する第２の工程と、膳板を端部用支柱と中間部用下部支柱とに取り付ける第３の工程と、中間部用上部支柱を膳板に取り付ける第４の工程と、梁板を端部用支柱と中間部用上部支柱とに取り付ける第５の工程とを有し、第２の工程において、巾規制部材を土台の間に移動させることで、土台に対して、端部用支柱と中間部用下部支柱との位置決めを行うものである。本実施の形態によれば、巾規制部材によって、一対の端部用支柱と中間部用下部支柱の巾寸法を正確に保持することができるとともに、土台に対する端部用支柱と中間部用下部支柱の位置決めも正確に行うことができる。
本発明の第５の実施の形態は、第１の実施の形態による遊技機用島台の基体構造において、梁板には、水平面を有する棚板と、遊技機の上面を受ける遊技機受け板と、棚板と遊技機受け板とを連結する連結板とを有し、支柱上段部及び中間部用上部支柱にはそれぞれ耳部を有し、耳部の上部に棚板の下面を配置し、耳部の下部に遊技機受け板の上面を配置し、耳部の上部には、下方向からボルトを挿入可能なナット部を形成し、耳部の下部にはボルト穴を形成したものである。本実施の形態によれば、耳部を用いて梁板を設置することができるとともに、特に遊技機受け面の位置決めを正確に行うことができる。
本発明の第６の実施の形態による遊技機用島台の基体構造の設置方法は、第５の実施の形態による遊技機用島台の基体構造の設置方法において、基礎面に一対の土台を固定する第１の工程と、土台の上に一対の端部用支柱と中間部用下部支柱とを配置する第２の工程と、膳板を端部用支柱と中間部用下部支柱とに取り付ける第３の工程と、中間部用上部支柱を膳板に取り付ける第４の工程と、梁板を端部用支柱と中間部用上部支柱とに取り付ける第５の工程とを有し、第５の工程において、耳部に棚板と遊技機受け板とを配置し、ナット部を用いて棚板下面にボルトを嵌合し、ボルト穴を用いて耳部と遊技機受け板とをボルト締めすることで遊技機受け板の位置決めを行うものである。本実施の形態によれば、ナット部を用いて棚板下面にボルトを嵌合することで、耳部と梁板との連結を行うことができるとともに、耳部下面を基準面として遊技機受け面の位置決めを正確に行うことができる。
本発明の第７の実施の形態は、第１の実施の形態による遊技機用島台の基体構造において、膳板の下方には、垂直面を有する腰板を備え、腰板を上段腰板と下段腰板とより構成し、支柱下段部を構成する一対の柱、及び中間部用下部支柱を構成する一対の柱を、垂直方向にスライド可能な２部材で構成したものである。本実施の形態によれば、例えばパチンコ機とスロット機のように遊技機の設置高さが異なる場合においても、膳板の高さを変更して対応できる。
本発明の第８の実施の形態による遊技機用島台の基体構造の設置方法は、第７の実施の形態による遊技機用島台の基体構造の設置方法において、支柱下段部を構成する一対の柱、及び中間部用下部支柱を構成する一対の柱を、垂直方向に伸ばした状態で、上段腰板と下段腰板とを用いて設置する第１の設置態様と、支柱下段部を構成する一対の柱、及び中間部用下部支柱を構成する一対の柱を、垂直方向に縮めた状態で、腰板として下段腰板だけを用いて設置する第２の設置態様とを有するものである。本実施の形態によれば、例えばパチンコ機とスロット機のように遊技機の設置高さが異なる場合においても、膳板の高さを変更して対応できる。
本発明の第９の実施の形態は、第１の実施の形態による遊技機用島台の基体構造において、中間部用上部支柱を構成する一対の柱に長溝を設け、中間部用上部支柱の上端には天板を配置し、中間部用上部支柱と天板とを連結するＬ字形ボルトであって、Ｌ字形ボルトの一端を天板に嵌合させ、Ｌ字形ボルトの他端を長溝に挿入してナット締めするものである。本実施の形態によれば、天板と中間部用上部支柱との連結を容易に行うことができる。
ことができる。
【実施例】
【０００８】
以下に本発明の一実施例によるパチンコ遊技場に設置される遊技機用島台の基体構造について説明する。
図１は本実施例による遊技機用島台の基体構造を示す斜視図、図２は同基体構造の内部を示す斜視図、図３は同基体構造に用いる端部用支柱の斜視図、図４は同端部用支柱の要部斜視図、図５は同基体構造に用いる中間部用下部支柱の斜視図、図６は同基体構造に用いる中間部用上部支柱の斜視図、図７から図１２は本実施例による遊技機用島台の設置方法を示す斜視図である。
【０００９】
図１に示すように、本実施例による遊技機用島台の基体構造は、両側端に配置される端部用支柱１０と、２つの端部用支柱１０の間に配置される中間部用支柱２０とを備えている。２つの端部用支柱１０の間は、上部においては一対の梁板４０で、下部においては一対の膳板５０で連接している。梁板４０と膳板５０との間の中段には、パチンコ機やスロット機などの遊技機（図示せず）を複数配置し、膳板５０より下段には、遊技機に用いる玉やメダルなどの遊技物を回収する装置（図示せず）を配置し、梁板４０より上段には、遊技機の玉、メダルの補給装置（図示せず）を配置する。
中間部用支柱２０は、梁板４０を取り付ける中間部用上部支柱２１と、膳板５０を取り付ける中間部用下部支柱２６とによって構成している。
図１及び図２に示すように、梁板４０は、水平面を有する棚板４１と、遊技機の上面を受ける遊技機受け板４２と、棚板４１と遊技機受け板４２とを連結する連結板４３とを有している。また、棚板４１の上部には、連結板４４、底板４５、中間板４６、及び天板４７を順に積み重ねている。棚板４１、遊技機受け板４２、連結板４３、連結板４４、底板４５、及び天板４７は、２つの端部用支柱１０の間を連接している。なお、天板４７は、２つの端部用支柱１０の上端に配置される。ここで、棚板４１、遊技機受け板４２、連結板４３、連結板４４、底板４５、及び天板４７は、複数枚の板材を、２つの端部用支柱１０の間で付き合わせて連接している。中間板４６は、底板４５と天板４７との間を、複数の空間に分割するように垂直方向に配置されている。
【００１０】
図２に示すように、中間部用上部支柱２１を構成する一対の柱１には、長溝３１を設けている。また、中間部用上部支柱２１の上端近傍の天板４７には、穴３２を形成している。そして、Ｌ字形ボルト３３によって、中間部用上部支柱２１と天板４７とを連結する。すなわち、Ｌ字形ボルト３３の一端を天板４７の穴３２にねじ込んだ後に、Ｌ字形ボルト３３の他端を長溝３１に挿入し、Ｌ字形ボルト３３の他端からナット締めすることで、Ｌ字形ボルト３３を中間部用上部支柱２１に固定する。
一方、図１に示すように、膳板５０の下方には、垂直面を有する腰板６０を備え、腰板６０は、２つの端部用支柱１０の間を連接している。また腰板６０は、分離可能な上段腰板６１と下段腰板６２とより構成している。上段腰板６１の上端には、上段腰板６１に垂直な水平板６３が取り付けられている。
【００１１】
次に、図３を用いて端部用支柱１０について説明する。
端部用支柱１０は、それぞれ平行に配置された一対の柱１と、一対の柱１を連接する連接板２とから構成されている。柱１には、断面がコの字状のアルミ材、ステンレス材、又はスチール材を用いる。連接板２には、平板状又は断面がＬ又はコの字状のアルミ材、ステンレス材、又はスチール材を用いる。
端部用支柱１０は、梁板４０を取り付ける支柱上段部１１と、膳板５０を取り付ける支柱下段部１２と、支柱上段部１１と支柱下段部１２とを連接する支柱中段部１３とを一体に形成している。
支柱上端部１１を構成する一対の柱１の外側には、それぞれ耳部３を形成している。耳部３の上部には、下方向からボルトを挿入可能なナット部３Ａを形成し、耳部３の下部にはボルト穴３Ｂを形成している。図１に示すように、耳部３の上部には、棚板４１の下面が配置され、耳部３の下部には遊技機受け板４２の上面が配置される。
支柱上端部１１と支柱中段部１３との連接位置にある一対の柱１には、連接板２が設けられている。
支柱中段部１３を構成する一対の柱１にも、連接板２が設けられている。
支柱下段部１２を構成する一対の柱１の上端には連接板２が設けられ、支柱中段部１３の下端は、この連接板２に固定されている。
【００１２】
次に、図３及び図４を用いて支柱下段部１２について説明する。
支柱下段部１２を構成する一対の柱１は、上部柱１Ａと下部柱１Ｂで構成され、上部柱１Ａと下部柱１Ｂとは、スライド可能に構成されている。すなわち、上部柱１Ａは、下部柱１Ｂよりも断面形状が小さく、下部柱１Ｂの内周面に沿って摺動可能な構成となっている。なお、上部柱１Ａと下部柱１Ｂとは、設置する遊技機の種類や高さに合わせて、あらかじめ所定の位置にビスにて固定されている。
支柱下段部１２を構成する一対の柱１の上端には渡し板４が設けられ、図１に示すように渡し板４には、腰板６０の水平板６３が載置される。
支柱下段部１２を構成する一対の柱１の下端には巾規制部材５が設けられている。巾規制部材５は、水平部材５Ａと水平部材５Ａの両端に設けられる垂直部材５Ｂとによって構成され、支柱下段部１２を構成する一対の柱１の間に設け、巾規制部材５を、支柱下段部１２の下端よりも更に下方へ移動可能に設けている。すなわち、垂直部材５Ｂには、長穴５Ｃが形成されており、柱１への固定を行うボルト５Ｄを、この長穴５Ｃの上端に位置させることで、水平部材５Ｂを柱１の下端より更に下方へ位置させることができる。
支柱下段部１２を構成する一対の柱１の下端には、それぞれＬ字状の固定部材６を備えている。固定部材６は、その一端を柱１にボルト６Ａにて固定し、その他端を土台７に固定する。
【００１３】
平行な一対の土台７は、遊技機用島台の基体構造の基礎面での基準面となる。
土台７は、基礎面における位置決めが行われた後にアンカーボルト７Ａにて基礎面に固定される。固定部材６の他端には、アンカーボルト７Ａの外径寸法より大きな穴６Ｂを有しており、アンカーボルト７Ａをこの穴６Ｂに配置する。この状態で巾規制部材５を下方に移動させ、巾規制部材５を一対の土台７の間に配置する。巾規制部材５の水平部材５Ａの巾、より正確には一対の垂直部材５Ｂの柱１との摺動面間の巾と、一対の土台７の対向面間の巾とを同一にしており、巾規制部材５を一対の土台７間に嵌め込むことで、端部用支柱１０の土台に対する位置決めが行われる。巾規制部材５を一対の土台７間に嵌め込んだ状態で、固定部材６を土台７に固定する。固定部材６の土台７への固定は、アンカーボルト７Ａにナットを嵌め込んで行う。
なお、固定部材の土台７への固定の際には、端部用支柱１０の高さ調整と、端部用支柱１０の水平調整が行われる。これらの調整は、図２に示すように、柱１の下端に設けられたアジャスター８によって行われる。下部柱１Ｂの下端は、Ｌ字状に折り曲げられて舌部１Ｃが形成されている。この舌部１Ｃは、固定部材６とは反対側の外側に形成する。舌部１Ｃには、ナット部が形成され、このナット部に対応するボルト部を形成したアジャスター８が設けられている。
【００１４】
次に、図５を用いて中間部用下部支柱２６について説明する。
中間部用下部支柱２６は、それぞれ平行に配置された一対の柱１と、一対の柱１を連接する連接板の機能を備えた渡し板４とから構成されている。柱１には、断面がコの字状のアルミ材、ステンレス材、又はスチール材を用いる。渡し板４には、平板状又は断面がＬ又はコの字状のアルミ材、ステンレス材、又はスチール材を用いる。
中間部用下部支柱２６を構成する一対の柱１は、上部柱１Ａと下部柱１Ｂで構成され、上部柱１Ａと下部柱１Ｂとは、スライド可能に構成されている。すなわち、上部柱１Ａは、下部柱１Ｂよりも断面形状が小さく、下部柱１Ｂの内周面に沿って摺動可能な構成となっている。なお、上部柱１Ａと下部柱１Ｂとは、設置する遊技機の種類や高さに合わせて、あらかじめ所定の位置にビスにて固定されている。
一対の上部柱１Ａの上端には渡し板４が設けられ、図１に示すように渡し板４には、腰板６０の水平板６３が載置される。
一対の下部柱１Ｂの下端には巾規制部材５が設けられている。巾規制部材５は、水平部材５Ａと水平部材５Ａの両端に設けられる垂直部材５Ｂとによって構成され、支柱下段部１２を構成する一対の柱１の間に設け、巾規制部材５を、支柱下段部１２の下端よりも更に下方へ移動可能に設けている。すなわち、垂直部材５Ｂには、長穴５Ｃが形成されており、柱１への固定を行うボルト５Ｄを、この長穴５Ｃの上端に位置させることで、水平部材５Ｂを柱１の下端より更に下方へ位置させることができる。
支柱下段部１２を構成する一対の柱１の下端には、それぞれＬ字状の固定部材６を備えている。固定部材６は、その一端を柱１にボルト６Ａにて固定し、その他端を土台７に固定する。
【００１５】
巾規制部材５を下方に移動させ、巾規制部材５を一対の土台７の間に配置する。巾規制部材５の水平部材５Ａの巾、より正確には一対の垂直部材５Ｂの柱１との摺動面間の巾と、一対の土台７の対向面間の巾とを同一にしており、巾規制部材５を一対の土台７間に嵌め込むことで、端部用支柱１０の土台に対する位置決めが行われる。巾規制部材５を一対の土台７間に嵌め込んだ状態で、固定部材６を土台７に固定する。なお、固定部材の土台７への固定の際には、端部用支柱１０の高さ調整と、端部用支柱１０の水平調整が行われる。これらの調整は、柱１の下端に設けられたアジャスター８によって行われる。下部柱１Ｂの下端は、Ｌ字状に折り曲げられて舌部１Ｃが形成されている。この舌部１Ｃは、固定部材６とは反対側の外側に形成する。舌部１Ｃには、ナット部が形成され、このナット部に対応するボルト部を形成したアジャスター８が設けられている。
【００１６】
次に、図６を用いて中間部用上部支柱２１について説明する。
中間部用上部支柱２１は、それぞれ平行に配置された一対の柱１と、一対の柱１を連接する連接板２とから構成されている。柱１には、断面がコの字状のアルミ材、ステンレス材、又はスチール材を用いる。連接板２には、平板状又は断面がＬ又はコの字状のアルミ材、ステンレス材、又はスチール材を用いる。
中間部用上部支柱２１は、梁板４０を取り付ける中間部用上部支柱上段部２２と、中間部用上部支柱上段部２２と連接する中間部用上部支柱中段部２３とを一体に形成している。
中間部用上部支柱上段部２２を構成する一対の柱１の外側には、それぞれ耳部３を形成している。耳部３の上部には、下方向からボルトを挿入可能なナット部３Ａを形成し、耳部３の下部にはボルト穴３Ｂを形成している。図２に示すように、耳部３の上部には、棚板４１の下面が配置され、耳部３の下部には遊技機受け板４２の上面が配置される。
中間部用上部支柱上段部２２と中間部用上部支柱中段部２３との連接位置にある一対の柱１には、連接板２が設けられている。
また、中間部用上部支柱中段部２３を構成する一対の柱１にも、連接板２が設けられている。
【００１７】
中間部用上部支柱中段部２３を構成する柱１の下端には、それぞれ固定部材２４を備えている。これら固定部材２４は、膳板５０の上面に当接する水平部２４Ａと、膳板５０の側面に当接する垂直部２４Ｂとを有している。水平部２４Ａには、柱１を挟んで一対の長穴２４Ｃと、長穴２４Ｃの周辺にビス孔２４Ｄが形成されている。また、垂直部材２４Ｂには、ビス孔２４Ｅが形成されている。
中間部用上部支柱２１を膳板５０に取り付ける際には、膳板５０の上面に固定部材２４の水平部２４Ａを当接させるとともに、一対の膳板５０の対向する側面に、それぞれの固定部材２４の垂直部２４Ｂを当接させることで、中間部用上部支柱２１を膳板５０に対して位置決めする。長穴２４Ｃをボルト締めすることで中間部用上部支柱２１を膳板５０に対して仮固定し、その後の位置決め調整の後にビス孔２４Ｄ、２４Ｅを用いて正確な位置決め固定を行う。
【００１８】
次に、図７から図１２を用いて本実施例による遊技機用島台の設置方法について説明する。
図７は基礎面に一対の土台を固定する第１の工程と、土台の上に一対の端部用支柱と中間部用下部支柱とを配置する第２の工程までを示している。
図７に示すように、まず土台７を基礎面に固定する。土台７の基礎面への固定は、アンカーボルト７Ａにて行う。アンカーボルト７Ａは、土台７の両端と、中間部用下部支柱２６を配置する位置に設ける。
その後、土台７の両端に端部用支柱１０を配置し、端部用支柱１０の間に所定の間隔を空けて中間部用下部支柱２６を配置する。端部用支柱１０の土台７に対する位置決めは、図３及び図４に示すとおり、巾規制部材５を土台７間に嵌め込むことで行う。また、端部用支柱１０の水平度及び高さは、アジャスター８を用いて行う。
両端に配置する端部用支柱１０の位置決めが完了すると、中間部用下部支柱２６の位置決めを行う。中間部用下部支柱２６の土台７に対する位置決めは、図５に示すとおり、巾規制部材５を土台７間に嵌め込むことで行う。また、中間部用下部支柱２６の水平度及び高さは、両端に配置した端部用支柱１０の渡し板４間に糸を張り、中間部用下部支柱２６の渡し板４がこの糸の高さとなるように、中間部用下部支柱２６のアジャスター８を調整する。
【００１９】
図８から図１０までは、膳板を端部用支柱と中間部用下部支柱とに取り付ける第３の工程を示している。
端部用支柱１０と中間部用下部支柱２６の渡し板４に、腰板６０の水平板６３を載置する。本実施例では、腰板６０として上段腰板６１を用いたものを示している。腰板６０は、複数のユニットに分割されており、それぞれのユニットを２つの端部用支柱１０の間で付き合わせることで連接する。
図８は、腰板６０を構成する一つのユニットを、一端の端部用支柱１０と中間部用下部支柱２６との渡し板４に載置した状態を示している。
図９は、腰板６０を構成する複数のユニットを、一方の端部用支柱１０から順に載置した状態を示している。図９に示すように、端部用支柱１０と中間部用下部支柱２６の渡し板４のそれぞれの端部に、腰板６０のユニットが載置される。
すべての腰板６０のユニットが載置されると、図１０に示すように、腰板６０の水平板６３上面に膳板５０を順次載置する。膳板５０は、複数枚の分割した板で構成されており、それぞれの板を付き合わせることで構成される。
【００２０】
図１１は、中間部用上部支柱を膳板に取り付ける第４の工程を示している。
中間部用上部支柱２１は、中間部用下部支柱２６の位置と一致させる必要はない。中間部用上部支柱２１の間隔は、設置される遊技機の巾に合わせて設定する。中間部用上部支柱２１間には、１台の遊技機を配置してもよいし、複数台の遊技機を配置してもよく、その他適宜付属装置を含めた巾に設定することもできる。
中間部用上部支柱２１を膳板５０に取り付ける際には、膳板５０の上面に固定部材２４の水平部２４Ａを当接させるとともに、一対の膳板５０の対向する側面に、それぞれの固定部材２４の垂直部２４Ｂを当接させることで、中間部用上部支柱２１を膳板５０に対して位置決めする。
【００２１】
図１２は、梁板を端部用支柱と中間部用上部支柱とに取り付ける第５の工程を示している。
図１２に示すように、梁板７０を構成する複数のユニットを、一方の端部用支柱１０から順に載置した状態を示している。図１２では、棚板４１、遊技機受け板４２、連結板４３、連結板４４、及び底板４５Ａを、工場出荷時において一つのユニットとして構成している。なお、少なくとも、棚板４１、遊技機受け板４２、及び連結板４３を一つのユニットとして構成することが好ましい。棚板４１、遊技機受け板４２、及び連結板４３を一つのユニットとして構成することで、耳部３に対応する空間を形成することができ、耳部３に対する位置決めを正確に行うことができる。なお、棚板４１、遊技機受け板４２、及び連結板４３によって形成される空間は、耳部３よりも大きく構成する。
耳部３の上部では、ナット部３Ａに下方向からボルトを挿入して棚板４１に固定し、耳部３の下部では、ボルト穴３Ｂを用いて耳部３と遊技機受け板４２とを連結する。
また、本実施例においては、底板４５Ｂ、中間板４６、及び天板４７を、工場出荷時において一つのユニットとして構成し、このユニットを、棚板４１、遊技機受け板４２、連結板４３、連結板４４、及び底板４５Ａからなるユニットの上面に載置している。なお、棚板４１、遊技機受け板４２、連結板４３、連結板４４、底板４５、中間板４６、及び天板４７を、工場出荷時において一つのユニットとして構成してもよい。
【００２２】
本実施例によれば、端部用支柱１０を、支柱上段部１１と支柱下段部１２と支柱中段部１３とによって一つの支柱として構成しているので、梁板４０や膳板５０を端部用支柱１０によって基本的な位置決めが可能となり、また、中間部用支柱２０を、中間部用上部支柱２１と中間部用下部支柱２６とに分離して構成することで、中間部用上部支柱２１と中間部用下部支柱２６とをそれぞれ自由な位置に配置することができる。また、中間部用上部支柱２１は膳板５０を基準に正確な位置に配置することができる。
本実施例によれば、膳板５０を取り付けた後に、中間部用上部支柱２１を膳板５０に取り付け、その後に梁板４０を取り付けることができるため、下部の部材から順に積み上げて設置でき、中間部用上部支柱２１と中間部用下部支柱２６とをそれぞれ自由な位置に配置することができる。
本実施例によれば、巾規制部材５によって、一対の端部用支柱１０と中間部用下部支柱２６の巾寸法を正確に設定できるとともに、土台７に対する端部用支柱１０と中間部用下部支柱２６の位置決めも正確に行うことができる。
本実施例によれば、耳部３を用いて梁板４０を設置することができ、特に遊技機受け板４２の位置決めを正確に行うことができる。
本実施例によれば、ナット部３Ａを用いて棚板４１下面にボルトを嵌合することで、耳部３と梁板４０との連結を行うことができるとともに、耳部３下面を基準面として遊技機受け板４２の位置決めを正確に行うことができる。
本実施の形態によれば、例えばパチンコ機とスロット機のように遊技機の設置高さが異なる場合においても、膳板５０の高さを容易に変更することができる。
本実施例によれば、Ｌ字形ボルト３３の一端を天板４７に嵌合させ、他端を長溝３１に挿入してナット締めすることで天板４７と中間部用上部支柱２１との連結を容易に行うことができる。
【産業上の利用可能性】
【００２３】
本発明のパチンコ遊技場に設置される遊技機用島台の基体構造は、新たに設置する場合だけでなく改装時の施工にも適した機体構造を提供することができる。
【図面の簡単な説明】
【００２４】
【図１】本発明の一実施例によるパチンコ遊技場に設置される遊技機用島台の基体構造を示す斜視図
【図２】同基体構造の内部を示す斜視図
【図３】同基体構造に用いる端部用支柱の斜視図
【図４】同端部用支柱の要部斜視図
【図５】同基体構造に用いる中間部用下部支柱の斜視図
【図６】同基体構造に用いる中間部用上部支柱の斜視図
【図７】本実施例による遊技機用島台の設置方法を示す斜視図
【図８】本実施例による遊技機用島台の設置方法を示す斜視図
【図９】本実施例による遊技機用島台の設置方法を示す斜視図
【図１０】本実施例による遊技機用島台の設置方法を示す斜視図
【図１１】本実施例による遊技機用島台の設置方法を示す斜視図
【図１２】本実施例による遊技機用島台の設置方法を示す斜視図
【符号の説明】
【００２５】
１  柱
２  連接板
３  耳部
４  渡し板
５  巾規制部材
７  土台
８  アジャスター
１０  端部用支柱
１１  支柱上段部
１２  支柱下段部
１３  支柱中段部
２０  中間部用支柱
２１  中間部用上部支柱
２６  中間部用下部支柱
４０  梁板
５０  膳板
６０  腰板
６１  上段腰板
６２  下段腰板
【図１】
2008113919.tif 000003
【図２】
2008113919.tif 000004
【図３】
2008113919.tif 000005
【図４】
2008113919.tif 000006
【図５】
2008113919.tif 000007
【図６】
2008113919.tif 000008
【図７】
2008113919.tif 000009
【図８】
2008113919.tif 000010
【図９】
2008113919.tif 000011
【図１０】
2008113919.tif 000012
【図１１】
2008113919.tif 000013
【図１２】
2008113919.tif 000014